(57)【要約】【課題】ローラチューブのサギングが従来技術のシステムを複雑化し、そのコストを増大させることなく確実に防止できる方法及び装置を提供することである。【解決手段】ローラチューブハウジング１０が、第一のハウジング部分４２及び第二のハウジング部分４４を含む。第二のハウジング部分４４は、第一のハウジング部分４２と係合してロックし、内部４６と外部４８とが形成される。支持架台３２が、第一のハウジング部分４２と一体的に形成される。支持架台３２は、ローラチューブ２０の長さに沿ってローラチューブ２０を支持する。出入通路５０を通じて、シート材１８がローラチューブ２０から出し入れされる。【選択図】図１
2006083688.tif 000002
【特許請求の範囲】
【請求項１】
ローラチューブハウジングであって、
第一のハウジング部分、
第二のハウジング部分であって、前記第一のハウジング部分と係合してロックされ、内部と外部が形成される、ところの第二のハウジング部分、
前記第一のハウジング部分と一体的に形成される支持架台であって、前記支持架台が、ローラチューブの長さに沿ってこのローラチューブを支持する、ところの支持架台、及び
前記ローラチューブからのシート材を通過させる出入通路、
を含むローラチューブハウジング。
【請求項２】
請求項１のローラチューブハウジングであって、
前記第一のハウジング部分が、挿入エッジを枢動エレメントに挿入し、ロッキングタブをタングエレメントに係合させることによって、第二のハウジング部分に連結する、
ところのローラチューブハウジング。
【請求項３】
請求項１又は２のローラチューブハウジングであって、
前記第一のハウジング部分と前記第二のハウジング部分の前記内部の側が、組み立て前に、コーティングされる、
ところのローラチューブハウジング。
【請求項４】
請求項１から３のいずれか１のローラチューブハウジングであって、
前記支持架台の断面形状が、実質的に三日月形状である、
ところのローラチューブハウジング。
【請求項５】
請求項１から４のいずれか１のローラチューブハウジングであって、
第一のマウントが、前記第一のハウジング部分と前記第二のハウジング部分の組立体の第一の端部に連結され、
第二のマウントが、前記第一のハウジング部分と前記第二のハウジング部分の前記組立体の、前記第一の端部と向き合った第二の端部に連結される、
ところのローラチューブハウジング。
【請求項６】
請求項１から６のいずれか１のローラチューブハウジングであって、
前記出入通路が、前記支持架台と前記第二のハウジング部Ｂンとの間に形成可能であり、シート材を前記内部から前記外部へ通過させる、
ところのローラチューブハウジング。
【請求項７】
請求項１から６のいずれか１のローラチューブハウジングであって、
前記第一のハウジング部分が、
上部外板と、前記上部外板と向き合う下部外板とを有する第一の支持壁、
前記第一の支持壁の前記上部外板に形成した枢動エレメント、及び
前記第一の支持壁の前記下部外板に一体的に形成される前記支持架台、
を含む、
ところのローラチューブハウジング。
【請求項８】
請求項７のローラチューブハウジングであって、
前記第二のハウジング部分が、
側壁部に隣接する上壁部を含む第二の支持壁、
前記枢動エレメントと回転可能な形状に、前記側壁部から遠方の前記上壁部に形成した挿入エッジ、及び
前記挿入エッジ付近の前記上壁部に形成したタングエレメントであって、前記タングエレメントが、前記ロッキングタブに連結される、ところのタングエレメント、
を含む、
ところのローラチューブハウジング。
【請求項９】
請求項８のローラチューブハウジングであって、
前記挿入エッジが、前記枢動エレメントに挿入可能である、
ところのローラチューブハウジング。
【請求項１０】
請求項８又は９のローラチューブハウジングであって、
前記ロッキングタブが、前記タングエレメントを係合する、
ところのローラチューブハウジング。
【請求項１１】
請求項７から１０のいずれか１のローラチューブハウジングであって、
前記上壁部が、当該ハウジングを支持する取付ブラケットに連結される取付スロットを含む、
ところのローラチューブハウジング。
【請求項１２】
請求項７から１１のいずれか１のローラチューブハウジングであって、
前記ロッキングタブと前記上壁部が、当該ハウジングの上面を形成する、
ところのローラチューブハウジング。
【請求項１３】
請求項７から１２のいずれか１のローラチューブハウジングであって、
前記支持架台が、前記上壁部と向き合う当該ハウジングの底部を形成する、
ところのローラチューブハウジング。
【請求項１４】
請求項７から１３のいずれか１のローラチューブハウジングであって、
前記第一の支持壁が、前記側壁部と向き合い、前記上部外板と前記支持架台との間の側部を形成する、
ところのローラチューブハウジング。
【請求項１５】
請求項７から１４のいずれか１のローラチューブハウジングであって、
前記側壁部が、前記第一の支持壁と向き合い、前記上壁部と前記出入部分との間の当該ハウジングの側部を形成する、
ところのローラチューブハウジング。
【請求項１６】
請求項７から１５のいずれか１のローラチューブハウジングであって、
前記側壁部と前記上壁部とが実質的に直交する、
ところのローラチューブハウジング。
【請求項１７】
請求項７から１６のいずれか１のローラチューブハウジングであって、
前記ロッキングタブと前記第一の支持壁とが、実質的に直交する、
ところのローラチューブハウジング。
【請求項１８】
請求項７から１７のいずれか１のローラチューブハウジングであって、
前記支持架台が、前記第一の支持壁から実質的に直交するように伸長する、
ところのローラチューブハウジング。
【請求項１９】
ローラチューブに配置されるシート材をハウジングに取り付ける方法であって、
上部外板と、前記上部外板と向き合う下部外板とを有する第一の支持壁、枢動エレメント、及び前記第一の支持壁の前記上部外板に形成したロッキングタブを含む第一のハウジング部分を形成する工程、
側壁部に隣接する上壁部を有する第二の支持壁、挿入エッジ、及び前記側壁部から遠方の前記上壁部に形成したタングエレメントを有する第二のハウジング部分を形成する工程、
前記第一及び第二のハウジング部分のうちの一方に一体的に形成される支持架台を与える工程、
前記第一のハウジング部分と前記第二のハウジング部分を連結する工程であって、前記ハウジングの内部と外部が形成される、ところの工程、及び
ローラチューブと、このローラチューブの長さに沿ってこのローラチューブに配置されるシート材とを前記支持架台で支持する工程、
を含む方法。
【請求項２０】
請求項１９の方法であって、
前記挿入エッジを前記枢動エレメントに挿入する工程、及び
前記ロッキングタブを前記タングエレメントと係合させる工程、
をさらに含む方法。
【請求項２１】
請求項１９又は２０の方法であって、
前記第一のハウジング部分と前記第二のハウジング部分の組み立て前に、前記第一のハウジング部分を材料でコーティングする工程、
をさらに含む方法。
【請求項２２】
請求項１９から２１のいずれか１の方法であって、
前記ハウジングの前記上壁部を取付ブラケットに取り付ける工程をさらに含み、
前記上壁部が、ファスナーを受けるように形成した少なくとも一つの取付溝を含む、
ところの方法。
【請求項２３】
請求項１９から２２のいずれか１の方法であって、
前記支持架台と、前記上壁部から遠方の前記第二のハウジング部分の前記側壁部との間に出入通路を形成する工程、
をさらに含む方法。
【請求項２４】
請求項１９から２３のいずれか１の方法であって、
前記第一のハウジング部分と前記第二のハウジング部分が、押出し成形によって形成される、
ところの方法。
【請求項２５】
請求項１９から２４のいずれか１の方法であって、
是にイ第一のハウジング部分と前記第二のハウジング部分が、前記第一の支持壁と前記第二の支持壁のそれぞれに形成した取付溝を含む、
ところの方法。
【請求項２６】
請求項１９から２５のいずれか１の方法であって、
前記ハウジングの端部に第一のマウントを取り付ける工程、
シート材を配置した前期ローラチューブを前記ハウジングの前記内部に挿入し、前記第一のマウントに連結する工程、
前記第一のマウントと向き合うように、前記ハウジングに第二のマウントを取り付ける工程、及び
前記第二のマウントに前記ローラチューブを連結する工程、
をさらに含む方法。
【請求項２７】
請求項１９から２６のいずれか１の方法であって、
前記支持架台が、前記ローラチューブを、このローラチューブの下方から支持する、
ところの方法。
【請求項２８】
請求項１９から２７のいずれか１の方法であって、
前記支持架台が、前記第一の支持壁の前記下部外板に一体的に形成される、
ところの方法。
【請求項２９】
ローラチューブハウジングであって、
上部外板と、前記上部外板と向い合う下方協会部とを含む第一の指示壁を有する第一のハウジング部分、
前記第一の支持壁の前記上部外板に形成した枢動エレメント、
前記第一の支持壁の上部外板に形成したロッキングタブ、
前記第一の支持壁の前記下部外板に一体的に形成した支持架台、
側壁部に隣接する上壁部を含む第二の支持壁を有する第二のハウジング部分、
前記数同エレメントと回転可能な形状に、前記側壁部から遠方の前記上壁部に形成した挿入エッジ、
前記挿入エッジの付近の前記上壁部に形成したタングエレメントであって、前記タングエレメントが、前記ロッキングタブと係合し、前記第一のハウジング部分と前記第二のハウジング部分が連結し、内部と外部が形成される、タングエレメント、及び
前記支持架台と、前記上壁部から遠方の前記第二のハウジング部分の前記側壁部との間に形成される出入通路、
を含むローラチューブハウジング。
【発明の詳細な説明】
【技術分野】
【０００１】
本発明は、ソーラ（solar）スクリーン、日よけなどに関し、特に、ソーラスクリーン、日よけなどのローラチューブと一体化した支持架台を含むハウジング組立体に関する。
【背景技術】
【０００２】
ローラ式の遮光システムは、長いローラチューブに支持されるフレキシブルな遮光材を使用する。ローラチューブは、典型的に、アルミニウム又はスチールからなり、フレキシブルな遮光材を回転可能に支持する。ローラ式の遮光システムは、スプリング駆動ローラチューブを有する手動遮光システムと、ローラチューブを回転駆動するためにローラチューブに係合する駆動モータを有する自動遮光システムとを含む。自動遮光システムの駆動モータは、ローラチューブの端部に係合する、外部に取り付けた外部モータと、ローラチューブによって形成される内部に受けられる内部モータとを含む。
【０００３】
在来のローラ式の遮光システムは、フレキシブルな遮光材の巻取りと繰出しに要求される回転的な支持を与えるために、ローラチューブの両端部に係合する支持システムを有する。支持システムは、回転のため、ローラチューブの開口端部に係合するカプラを有する駆動端部支持組立体を含む。カプラは、モータの駆動シャフトを受け、駆動シャフトの回転がカプラに伝えられ、ローラチューブが回転する。モータは、例えば、構造物の壁や天井にローラ式の遮光システムを取り付けるためのブラケットにしっかりと固定される。ローラチューブの両端に係合するカプラが、モータの駆動シャフトを受けるか、又は変形的に、アイドラ組立体の回転支持シャフトを受ける。
【０００４】
在来の方法で、両端部で支持されるローラチューブは、例えば、これに取り付けた遮光材の重量による荷重に応答して変形する。在来の方法でローラチューブの両端部を支持し、このローラチューブにフレキシブルな遮光材を支持させたとき、この遮光材の重量に応答して、ローラチューブは、ローラチューブを支持している量端部に関してローラチューブの中央の部分を下向きに“サギング（sagging）”変形を生じさせることになる。
【０００５】
比較的広い遮光材（例えば、１０〜３０フィート以上の幅）を有するローラチューブのために、この幅に対応した長さのローラチューブを在来の方法で支持すると、支持した遮光材の外観を損ねるサギング変形を生じさせることになる。“スマイル（smile）”として知られているＶ字形のシワも、サギングを生じるローラチューブによって支持されている、巻き取られていない（すなわち、ローラチューブから繰り出した）遮光材に形成される。ローラチューブを在来の方法で支持した結果として生じるサギング変形は、遮光材の作動に好ましくない影響も与える。遮光材の巻取り中、遮光材は、ローラチューブの軸と実質的に垂直な方向で、ローラチューブに引かれる。遮光材がローラチューブに巻き取られると、サギングを生じているローラチューブの長さに沿った曲率に起因して、支持されている遮光材の両端部の部分が、ローラチューブの中央の部分に向けてトラッキング（tracking）する傾向にある。このような遮光材の両端部の部分のトラッキングにより、ローラチューブの中央の部分よりも、ローラチューブの両端部の部分に、より強く巻き取られることになる。その結果、遮光材の中央の部分は、ローラチューブに強く引かれず、遮光材を歪めることになる。この遮光材の中央の部分の歪みが大きいと、ローラチューブの長さに沿って巻き取られる遮光材の径方向の寸法が変わり、これが、遮光材の下方の部分の巻取りに悪影響を及ぼす。不均一なトラッキングは、遮光材に不連続に形成される永久的な垂れ下がったサギング・ポケットを含む“ゴルフボール”として知られている表面の不連続を生じさせる。
【０００６】
比較的長いローラチューブのサギング変形の問題は、ローラチューブの直径を増大させることによって、従来技術のローラ遮光材で処理されてきた。
【発明の開示】
【発明が解決しようとする課題】
【０００７】
ローラチューブの直径を増大させることが、在来の方法で端部を支持しているローラチューブでのサギング変形を低減させるように働くが、このような解決方法に関連した問題がある。ローラチューブの直径を増大させると、重量が増大し、これにより、ローラチューブを回転可能に支持できる構造物のサイズとタイプに潜在的な悪影響を与える。また、より大径のローラチューブとその関連支持構造物に要求される付加的な空間を、多くの設置場所で得ることができない。このような空間が得られたとしても、要求される大きいローラチューブ径に起因して、システムが嵩張り、審美的な理由から好ましくないことがある。
【０００８】
サギングを防止する他の従来技術の試みは、ローラチューブの回転軸の下方に配置した様々な形状の中央支持手段及び／又は長い支持ローラの使用を含む。長い支持ローラは、ローラチューブ組立体に重量を付加し、また複雑化する。より複雑な支持システムは、その機構のコストを増大させ、また故障も増大させ、与えられるべき利点を損なう。
【０００９】
ローラチューブのサギングが従来技術のシステムを複雑化し、そのコストを増大させることなく確実に防止できる方法及び装置を提供することに利点がある。
【００１０】
従来技術で必要なものは、ハウジング組立体内に固定した支持架台を有するハウジング組立体である。
【課題を解決するための手段】
【００１１】
本発明に従って、ローラチューブハウジングは、第一のハウジング部分と、内部及び外部を形成する、第一のハウジング部分と係合してロックする第二のハウジング部分とを含む。支持架台が、第一のハウジング部分と一体的に形成される。支持架台は、ローラチューブの長さに沿ってローラチューブを支持する。前記ローラチューブからのシート材を出し入れするための出入通路が形成される。
【００１２】
実施例では、第一のハウジング部分は、挿入エッジを枢動エレメントに挿入し、ロッキングタブをタングエレメントと係合させることにより、第二のハウジング部分と連結される。第一のハウジング部分と第二のハウジング部分の内部の側が、組み立て前に、コーティングされる。支持架台の断面形状は、実質的に三日月形の形状にある。第一のマウントが、第一の端部の側の第一及び第二のハウジング部分の組立体に連結される。第二のマウントが、第一の端部と反対側の第一及び第二のハウジング部分の組立体に連結される。出入部分（出入通路）は、支持架台と第二のハウジング部分との間に形成でき、内部から外部へシート材を通過させる。
【００１３】
実施例では、第一のハウジング部分は、上部外板と、この上部外板と向き合った下部外板とを有する第一の支持壁を含む。枢動エレメントが、第一の支持壁の上部外板に形成される。ロッキングタブが、第一の支持壁の上部外板に形成される。支持架台は、第一の支持壁の下部外板と一体的に形成される。第二のハウジング部分は、側壁部に隣接した上壁部を有する第二の支持壁を含む。挿入エッジが、側壁部から遠方の上壁部に形成され、枢動エレメント内で回転可能となるような形状にある。タングエレメントが、挿入エッジ付近の上壁部に形成される。タングエレメントは、ロッキングタブと連結する形状にある。挿入エッジは、枢動エレメントに挿入可能である。ロッキングタブは、タングエレメントに係合する。上壁部は、取付ブラケットに連結される取付スロットを含む。取付ブラケットは、ハウジングを支持するためのものである。ロッキングエレメントと上壁部は、ハウジングの上面に形成される。支持架台は、上壁部と向き合ったハウジングの底部を形成する。第一の支持壁は、側壁部と向き合って、上部外板と支持架台との間のハウジングの側部を形成する。側壁部は、第一の支持壁と向き合って、上壁部と出入部分との間のハウジングの側部を形成する。側壁部と上壁部は、実質的に直交する。支持架台は、第一の支持壁から実質的に直交して伸長する。
【００１４】
ハウジングのローラチューブに配置されるシート材を取り付けるための方法の実施例が、上部外板と、この上部外板と向き合った第二の外板とを有する第一の支持壁を含む第一のハウジング部分を形成することによって与えられる。枢動エレメントとロッキングタブが、第一の支持壁の上部外板に形成される。支持架台が、第一及び第二のハウジング部分のうちの一つと一体的に形成される。側壁部に隣接する上壁部を有する第二の支持壁を有する第二のハウジング部分を形成するための方法が与えられる。挿入エッジとタングエレメントが、側壁部から遠方の上壁部に形成される。第一のハウジング部分と第二のハウジング部分とを連結し、ハウジングの内部と外部を形成するための方法が与えられる。この方法は、支持架台でローラチューブの長さに沿ってローラチューブと、ローラチューブに配置されるシート材とを支持する工程を含む。
【００１５】
実施例では、挿入エッジを枢動エレメントに挿入し、ロッキングタブをタングエレメントに係合させるための本発明の方法が与えられる。この方法は、第一のハウジング部分と第二のハウジング部分の組み立て前に、第一のハウジング部分を材料でコーティングする工程を含む。上壁部は、ファスナーを受けるように形成した少なくとも一つの取付溝を含み、ハウジングの上壁部の側を取付ブラケットに取り付けるための方法が与えられる。支持架台と、上壁部から遠方の第二のハウジング部分の側壁部との間に出入通路を形成するための方法が与えられる。押出し成形により形成可能な第一のハウジング部分と第二のハウジング部分のための方法が与えられる。第一の支持壁と第二の支持壁のそれぞれに形成される取付溝が含まれるように、第一のハウジング部分と第二のハウジング部分のための方法が与えられる。ハウジングの端部に第一のマウントを取り付けるための方法が与えられる。この方法は、ハウジングの内部に、ローラチューブに配置されるシート材を含むローラチューブを挿入し、第一のマウントに連結させる工程を含む。この方法は、第一のマウントと向き合う第二のマウントをハウジングに取り付ける工程を含む。ローラチューブを第二のマウントに取り付けるための方法が与えられる。ローラチューブを下側から支持する支持架台のための方法が与えられる。第一の支持壁の下部外板と一体的に形成される支持架台のための方法が与えられる。
【発明の効果】
【００１６】
開示される本発明のローラチューブハウジングは、複雑な移動部品の必要がなく、ローラチューブを支持できるという利点がある。ローラチューブ及びローラチューブに巻き取られるシート材を、長さの全体に沿って支持できる。シート材のスマイル形の表面の不連続やローラチューブにわたる変形及びサギングの問題が、新規な支持機構により防止される。開示されるローラチューブハウジングの利点は、さらに、一体的に形成される支持架台とハウジング組立体が、強度を高くし、重量を低減し、製造コストを低減することである。新規なハウジング組立体及び支持架台は、組み立て前に、特に、支持架台の上面に、塗料を適用することができ、これにより、シート材の傷付きを防止できる。ハウジング組立体は、簡単な二つの部分の組立体からなり、第一と第二のハウジング部分の間にスナップ式の締まりばめ（snap tight fit）を備えている。さらに、従来技術の比較して、ローラチューブを収容するために要求されるソーラスクリーンシステムのサイズを十分に低減させるように、シート材及びローラチューブがローラチューブの長さにわたって支持されることから、小さい直径のローラチューブが使用される。例えば、本発明によって提供される日よけ／ソーラスクリーンハウジングは、与えられたサイズの日よけ／ソーラスクリーンに対して、断面が約３インチ×３インチだけである（従来技術のデバイスは、同じサイズの日よけ／ソーラスクリーンに対してより大きい直径を必要とし、典型的に、断面が約８インチ×８インチ又はそれ以上である）。
【発明を実施するための最良の形態】
【００１７】
図面を参照する。同様の構成成分は、同様の符号で示す。
【００１８】
ローラチューブハウジングを例示する。ローラチューブハウジングは、ハウジング組立体を含む。ハウジング組立体は、第一のハウジング部分と、これとロックして連結される第二のハウジング部分とを含む。ハウジング組立体は、第一及び第二のマウントに回転可能に連結されるローラチューブを支持する。ローラチューブは、第一の端部と第二の端部との間の長さを定める本体を含む。ローラチューブは、本体の第一の端部と第二の端部との間で本体の長さに沿ってローラチューブ本体に巻き取られるシート材を支持する。支持架台が、ハウジング組立体の第一のハウジング部分に形成され、第一のマウントと第二のマウントとの間に伸長する。支持架台は、ローラチューブの長さに沿ってローラチューブを支持する。
【００１９】
図１〜図３にローラチューブハウジング１０の実施例を示す。ローラチューブハウジング１０は、第一のマウント１４と、第一のマウント１４と向き合う第二のマウント１６との間で横方向に伸長するハウジング組立体１２を含む。ハウジング組立体１２は、壁、天井などに取り付けられ、シート材１８を有効に利用できるように安定的に位置決めされる。ハウジング組立体１２は、例えば、押出し成形したアルミニウムなどを含む様々な手段を通じて剛性の材料から構成される。
【００２０】
ローラチューブ２０が、ハウジング組立体１２に回転可能に取り付けられる。ローラチューブ２０は、第一のマウント１４と第二のマウント１６に枢動可能に支持される。ローラチューブ２０は、第一の端部２６と第二の端部２８との間の長さ２４に沿って伸長する本体２２を含む。ローラチューブ本体２２は、長さ２４に沿って伸長する円形状の断面を含む円筒形の形状を有する。ローラチューブ２０は、ソーラスクリーン材のようなシート材１８を支持する。シート材１８は、ローラチューブ２０の回転軸（軸）３０に関してローラチューブ２０に巻き取られる。シート材１８がローラチューブ本体２２に巻き取られると、ローラチューブ２０とシート材１８の直径が増大する。
【００２１】
支持架台３２がハウジング組立体１２に連結される。支持架台３２は、第一のマウント１４と第二のマウント１６との間に伸長する。支持架台３２は、ローラチューブ２０と、ローラチューブ２０に巻き取られるシート材１８とを支持する。特に、支持架台３２は、ローラチューブ２０の長さ２４の全体に沿ってローラチューブを支持する。ローラチューブ２０は、支持架台３２による支持により、長さ２４に沿ったローラチューブ２０の変形が防止される。実施例では、支持架台３２は、ハウジング組立体１２の一部分からなる。他の実施例では、支持架台３２は、ハウジング組立体１２と分離して形成され、ハウジング組立体１２に連結される。
【００２２】
支持架台３２は、ローラチューブ２０とシート材１８が支持架台３２の上部に載置されるように配置される。支持架台３２は、軸３０の下方のローラチューブ２０の下方部分付近のシート材に接触するように配置される。支持架台３２は、シート材１８の巻取り及び繰出しを通じてローラチューブ２０とシート材１８を支持する。このシート材１８の巻取りと繰出しの間、ローラチューブ２０上のシート材１８の外径は変化する。
【００２３】
支持架台３２は、上面３６と下面３８を含むベース３４を含む。ベース３４は、ローラ２０とローラ２０に巻き取られるシート材１８との外径のアーチ状の形状を支持するように加工された長いアーチ状のビームのように形成される。ベース３４は、ローラ２０へ引っ掛かったりや拘束したりせずに、ローラ２０を支持するのに十分な長さだけ外向きに張り出す幅を含む。他の実施例では、ベース３４は、ローラ２０とこれに巻き取られるシート材１８の外径の約四分の一のサイズの幅を含む。連結アーム４０が、下面３８から張り出し、ハウジング組立体１２に連結される。好適な実施例では、ベース３４は、三日月状の形状を有する。他の実施例では、ベース３４は、円形状などの断面形状である。支持架台３２の形状は、ローラチューブ２０とシート材１８の形状に実質的に一致する。好適な実施例では、上面は、シート材をくっつけたり、傷をつけたり、汚したり、色あせさせることなく、支持架台の上面３６にわたってシート材１８をスライドさせることができるように、コーティング（図示せず）される。好適に、上面３６は、シート材１８を繰り出す際に、（例えば、酸化アルミニウムによって）シート材１８の表面を傷つけたり汚したりしないようにコーティング（例えば、塗布）される。変形的に、支持架台は、高密度ポリウレタン、ＰＶＣなどのような材料を使用して製造される。支持架台３２は、剛性であり、ローラチューブ２０、シート材１８又はハウジング組立体１２に関して動くことがない。支持架台３２は、好適な実施例では、ローラチューブ２０の長さ２４の全体にわたって伸長する。支持架台３２がローラチューブ２０及びその変化物の実質的な長さ２４にわたって伸長することを意図とする。実施例では、支持架台３２は、ハウジング組立体１２と一体的に形成される。支持架台３２は、一定の連続した長さで伸長する。他の実施例では、支持架台３２は、ベース３４の長さ及び／又は幅に沿って区切られ、不連続となっている。支持架台３２によって、長さ２４に沿ったローラチューブ２０の変形が防止され、その結果、シート材１８がハウジング組立体１２から引き出される際に、シート材１８に形成される表面の不連続が防止される。
【００２４】
図３に、実施例のローラチューブハウジング１０の断面図を示す。ハウジング組立体１２は、ハウジング組立体１２は、図３に分解して示されているように、“二つの部分”から構成される。第一のハウジング部分４２と第二のハウジング部分４４が、ハウジング組立体１２の内部４６と外部４８とを定めるように、ロックして相互に連結される。第一のハウジング部分４２は、支持架台３２を含む。第一のハウジング部分４２と第二のハウジング部分４４が組み合わされ、出入通路又は出入部分５０が、支持架台３２の付近に形成される。シート材１８は、この出入通路５０を通過する。
【００２５】
第一のハウジング部分４２は、第一の支持壁５２を含む。第一の支持壁５２は、上部外板５４と、これと向き合う下部外板５６とを有する。上部外板５４は、第一の支持壁５２のパネルから実質的に直交して張り出す。下部外板５６は、支持架台３２を支持し、連結アーム４０と一体的に形成される。下部外板５６は、第一の支持壁５２のパネルから実質的に直交して第一の支持壁から張り出す。ロッキングタブ５８が、第一の支持壁５２の上部外板５４に形成される。第一の支持壁５２の上部外板５４に形成したロッキングタブ５８は、ノッチ６０を有する。内部４６に張り出す枢動エレメント６２が、上部外板５４付近の第一の支持壁５２に形成される。枢動エレメント６２は、溝部分６４を含む指状のエレメントのように形成される。枢動エレメント６２は、また、枢動エレメント６２に形成されるファスナーレシーバ６６を含む。他のファスナーレシーバ６６が、内部４６の側の第一の支持壁５２に形成される。
【００２６】
第二のハウジング部分４４は、上壁部７０と、上壁部７０に隣接する側壁部７２とを有する第二の支持壁６８を含む。実施例では、上壁部７０と側壁部７２は、実質的に直交して整列される。上壁部７０は、側壁部７２から遠方に形成される挿入エッジ７４を含む。挿入エッジ７４は、枢動エレメント６２に挿入可能であり、枢動エレメント６２内で回転可能である。特に、挿入エッジ７４は、枢動エレメント６２の溝部分６４に挿入される。タングエレメント７６が、第二の支持壁６８の上壁部７０に形成される。タングエレメント７６は、挿入エッジ７４の付近の上壁部７０から伸長する突起である。タングエレメント７６は、外部４８に向けて伸長する。タングエレメント７６は、第一の支持壁５２のロッキングタブ５８に連結される。特に、タングエレメント７６の突起は、ロッキングタブ５８がタングエレメント７６を係合するように、ロッキングタブ５８のノッチ６０に挿入可能である。実施例では、第一のハウジング部分４２は、挿入エッジ７４を枢動エレメント６２に挿入し、ロッキングタブ５８をタングエレメント７６と係合させることによって第二のハウジング部分４４と連結する。
【００２７】
上壁部７０は、第二の支持壁７２に形成した取付スロット７８を含む。取付スロット７８は、第二の支持壁７２に形成され、ファスナー（図示せず）をネジ切り的に受けるリッジを含む。取付スロット７８は、ハウジング組立体１２を支持する取付ブラケットに連結される。
【００２８】
組み立てられたハウジング組立体１２は、上面８０を含む。上面８０は、ロッキングエレメント５８と上壁部７０によって形成される。取付スロット７８は、上面８０に形成される。ハウジング組立体１２は、また、支持架台３２によって形成され、上面８０と向き合った反対の側に位置する底部８２を含む。支持架台３２は、ハウジング組立体１２が組み立てられると、上壁部７０と向き合って位置する。ハウジング組立体１２の第一の側部８４が、上部外板５４と下部外板４６との間の第一の支持壁５２の部分によって形成される。第一の側部８４は、ハウジング組立体１２の上面８０と底部８２との間にある。ハウジング組立体１２の第二の側部８６が、上面８０と出入通路５０との間の第二の支持壁６８によって形成され、これは、ハウジング組立体１２の第一の側部８４と向き合っている。実施例では、ハウジング組立体１２は、出入通路５０のために底部８２の付近に形成したギャップを有する実質的に長方形状の断面形状を形成する。
【００２９】
本発明について、実施例を参照して説明したが、本発明の範囲を逸脱せずに、様々な変形物がなされ、等価物がそのエレメントと置換できることは、当業者には理解できる。また、多くの変更物が、本発明の範囲を逸脱せずに、特定の状況又は材料に適用し得る。したがって、本発明は、本発明を実施する最良の形態で開示した特定的な実施例に限定することを意図とするものではなく、本発明は、特許請求の範囲に含まれる全てのものを含む。
【図面の簡単な説明】
【００３０】
【図１】図１は、実施例のローラチューブハウジングの斜視図である。
【図２】図２は、組み立て後の実施例のローラチューブハウジングの側面図である。
【図３】図３は、組み立て前の実施例のローラチューブハウジングの断面図である。
【符号の説明】
【００３１】
１０・・・ローラチューブハウジング
１２・・・ハウジング組立体
１４・・・第一のマウント
１６・・・第二のマウント
１８・・・シート材
２０・・・ローラチューブ
２２・・・ローラチューブ本体
２４・・・長さ
２６・・・第一の端部
２８・・・第二の端部
３０・・・回転軸（軸）
３２・・・支持架台
３４・・・ベース
３６・・・上面
３８・・・下面
４０・・・連結アーム
４２・・・第一のハウジング部分
４４・・・第二のハウジング部分
５０・・・出入通路
５２・・・第一の支持壁
５４・・・上部外板
５６・・・下部外板
５８・・・ロッキングタブ
６０・・・ノッチ
６２・・・枢動エレメント
６４・・・溝部分
６６・・・ファスナーレシーバ
６８・・・第二の支持壁
７０・・・上壁部
７２・・・側壁部
７４・・・挿入エッジ
７６・・・タングエレメント
７８・・・取付スロット
８０・・・上面
８２・・・底部
８４・・・第一の側部
８６・・・第二の側部
【図１】
2006083688.tif 000003
【図２】
2006083688.tif 000004
【図３】
2006083688.tif 000005